(57)【要約】【課題】詰め替え用袋内の液状石鹸類を容易、かつ、確実に供給容器内に移すことができる液状石鹸類の供給容器を提供する。【解決手段】容器本体１の上端１ａを開口し、該容器本体の上端にはポンプ手段３を備えた外蓋５を該容器本体に対し分離自在に取り付け、該容器本体の上端には内蓋１３を開閉自在に備えさせ、該内蓋には該内蓋を内外に貫通するスリット１７を形成し、該容器本体から外蓋を分離させると共に内蓋を開いた状態で液状石鹸類を収納した詰め替え用袋１９を容器本体内に入れて該詰め替え用袋の一端１９ａを開口させ、該詰め替え用袋の他端１９ｂを内蓋のスリットに挿入させた状態で該内蓋を容器本体の上端に嵌め、該詰め替え用袋の他端を上方に引き上げることにより該詰め替え用袋内の液状石鹸類を該スリットにより該容器本体内に搾り出すようにした液状石鹸類の供給容器。【選択図】図１
2009262967.tif 000002
【特許請求の範囲】
【請求項１】
容器本体の上端を開口し、該容器本体の上端にはポンプ手段を備えた外蓋を該容器本体に対し分離自在に取り付け、該容器本体の上端には内蓋を開閉自在に備えさせ、該内蓋には該内蓋を内外に貫通するスリットを形成し、
該容器本体から外蓋を分離させると共に内蓋を開いた状態で液状石鹸類を収納した詰め替え用袋を容器本体内に入れて該詰め替え用袋の一端を開口させ、該詰め替え用袋の他端を内蓋のスリットに挿入させた状態で該内蓋を容器本体の上端に嵌め、該詰め替え用袋の当該他端を上方に引き上げることにより該詰め替え用袋内の液状石鹸類を該スリットにより該容器本体内に搾り出すようにしたことを特徴とする液状石鹸類の供給容器。
【請求項２】
前記内蓋の一端を前記容器本体の上端の一縁に開閉自在に枢着したことを特徴とする請求項１に記載の液状石鹸類の供給容器。
【請求項３】
前記内蓋の内側における前記スリットの両側部には詰め替え用袋の前記他端を該スリットに案内するガイドを備えさせたことを特徴とする請求項１又は２に記載の液状石鹸類の供給容器。
【発明の詳細な説明】
【技術分野】
【０００１】
本発明は、液状石鹸類の供給容器に関するものであり、特に詰め替え用袋内の液状石鹸類を供給容器内に容易に移すことができるようにした液状石鹸類の供給容器に係るものである。
【０００２】
本出願における「液状石鹸類」には、シャンプー、リンス、トリートメント、コンディショナー、ボディシャンプー等が含まれる。
【背景技術】
【０００３】
液状石鹸類は、例えば実公平７−２５１２１号公報に示すように、一般にポンプ手段を備えた供給容器に収納されている。
【０００４】
また、液状石鹸類を収納した詰め替え用袋も販売されている。この詰め替え用袋は、液状石鹸類の供給容器内の液状石鹸類を使い尽くしたときに、該供給容器を廃棄することなく、該詰め替え用袋内の液状石鹸類を該供給容器に補充するようにしたものである。
【特許文献１】実公平７−２５１２１号公報
【発明の開示】
【発明が解決しようとする課題】
【０００５】
詰め替え用袋内の液状石鹸類を供給容器内に移す際には、供給容器からポンプ手段を抜き取って供給容器の口部を露出させ、該詰め替え用袋の一部を切除して開口し、該詰め替え用袋の開口部を供給容器の口部に挿入した状態で該詰め替え用袋を手で絞って液状石鹸類を供給容器に注入するという手法が用いられている。
【０００６】
しかるに、供給容器の口部は直径が小さいため、詰め替え用袋内の液状石鹸類を供給容器へ移す作業は困難であり、しばしば液状石鹸類が供給容器外へこぼれることがあり、さらに、詰め替え用袋内の液状石鹸類を十分に取り出すことができず、詰め替え用袋内に液状石鹸類が残存するという問題もある。
【０００７】
本発明は、上述の如き問題を解決し、詰め替え用袋内の液状石鹸類を容易に、かつ、詰め替え用袋内に液状石鹸類を残存させることなく確実に、供給容器内に移すことができるようにした液状石鹸類の供給容器を提供しようとしてなされたものである。  
【課題を解決するための手段】
【０００８】
上記課題を解決するために、本発明は下記の液状石鹸類の供給容器を提供する。
【０００９】
（１）容器本体の上端を開口し、該容器本体の上端にはポンプ手段を備えた外蓋を該容器本体に対し分離自在に取り付け、該容器本体の上端には内蓋を開閉自在に備えさせ、該内蓋には該内蓋を内外に貫通するスリットを形成し、
該容器本体から外蓋を分離させると共に内蓋を開いた状態で液状石鹸類を収納した詰め替え用袋を容器本体内に入れて該詰め替え用袋の一端を開口させ、該詰め替え用袋の他端を内蓋のスリットに挿入させた状態で該内蓋を容器本体の上端に嵌め、該詰め替え用袋の当該他端を上方に引き上げることにより該詰め替え用袋内の液状石鹸類を該スリットにより該容器本体内に搾り出すようにしたことを特徴とする液状石鹸類の供給容器（請求項１）。
【００１０】
（２）前記内蓋の一端を前記容器本体の上端の一縁に開閉自在に枢着する（請求項２）。
【００１１】
（３）前記内蓋の内側における前記スリットの両側部には詰め替え用袋の前記他端を該スリットに案内するガイドを備えさせる（請求項３）。
【発明の効果】
【００１２】
［請求項１の発明］
請求項１の発明によれば、液状石鹸類を収納した詰め替え用袋を容器本体内に入れて該詰め替え用袋の一端を開口させ、該詰め替え用袋の他端を内蓋のスリットに挿入（挿通）させた状態で該内蓋を容器本体の上端に嵌め、該詰め替え用袋の当該他端を上方に引き上げることにより該詰め替え用袋内の液状石鹸類を該スリットにより該容器本体内に搾り出すようにしたため、詰め替え用袋内の液状石鹸類を容易に、かつ、詰め替え用袋内に液状石鹸類を残存させることなく確実に、供給容器内に移すことができる。このとき、液状石鹸類が供給容器外へこぼれることはない。
【００１３】
［請求項２の発明］
請求項２の発明によれば、内蓋の一端を前記容器本体の上端の一縁に開閉自在に枢着したため、内蓋を閉めつつ詰め替え用袋の前記他端と内蓋のスリットとを目視しながら詰め替え用袋の前記他端を該スリットに容易に挿通させることができる。
【００１４】
［請求項３の発明］
請求項３の発明によれば、内蓋の内側におけるスリットの両側部には詰め替え用袋の前記他端を該スリットに案内するガイドを備えさせているため、詰め替え用袋の前記他端は該ガイドにより該スリット内に案内される。したがって、詰め替え用袋の前記他端を該スリットに挿通させる作業は一層容易になる。
【発明を実施するための最良の形態】
【００１５】
符号１に示すものは、液状石鹸類の供給容器における容器本体である。容器本体１は、箱状、円筒状その他如何なる形状を備えたものであっても差し支えない。
【００１６】
容器本体１の上端１ａを開口し、該容器本体１の上端１ａにはポンプ手段（ポンプ装置）３を備えた外蓋５を容器本体１に対し分離自在（開閉自在）に取り付ける。
【００１７】
外蓋５を容器本体１に対し分離自在に取り付けるとは、外蓋５を容器本体１の上端１ａに例えば取り外し自在に嵌着若しくは螺合し、又は開閉自在に枢着することをいう。
【００１８】
ポンプ手段３は、液状石鹸類の供給容器に従来より使用されているものでよい。符号７に示すものはシリンダ、符号９に示すものは押下ヘッド、符号１１に示すものはノズルである。
【００１９】
容器本体１の上端１ａには内蓋１３を開閉自在に備えさせる。
【００２０】
図２、図３に示す事例においては、内蓋１３の一端１３ａを容器本体１の上端１ａの一縁１ａ’にヒンジ１５を介して開閉自在に枢着している。なお、内蓋１３は、容器本体１の上端１ａに開閉自在に螺合又は嵌着させてもよい。
【００２１】
内蓋１３には該内蓋１３を内外に貫通するスリット１７を形成する。スリット１７は、液状石鹸類を収納した詰め替え用袋１９が該スリット１７内を通過する時に該詰め替え用袋１９内の液状石鹸類を搾り出すに適した間隔を備えたものとする。
【００２２】
図５に示す内蓋１３は、箱状の容器本体１に備えさせるものであって、略長方形状をなし、直線状のスリット１７を有する。
【００２３】
図６に示す内蓋１３は、円筒状の容器本体１に備えさせるものであって、円形状をなし、略Ｕ字状のスリット１７を有する。
【００２４】
容器本体１から外蓋５を分離させると共に内蓋１３を開いた状態で液状石鹸類を収納した詰め替え用袋１９を容器本体１内に入れて該詰め替え用袋１９の一端１９ａを切除等により開口させ、該詰め替え用袋１９の他端１９ｂを内蓋１３のスリット１７に挿入させた状態で該内蓋１３を容器本体１の上端１ａに嵌め、該詰め替え用袋１９の他端１９ｂを上方に引き上げることにより該詰め替え用袋１９内の液状石鹸類を該スリット１７により該容器本体１内に搾り出す。図１〜図３参照。なお、該詰め替え用袋１９を該スリット１７より上方に抜き取ることはいうまでもない。
【００２５】
内蓋１３の内側における前記スリット１７の両側部には詰め替え用袋１９の前記他端１９ｂを該スリット１７に案内するガイド２１を備えさせることが望ましい。
【００２６】
ガイド２１は、詰め替え用袋１９の前記他端１９ｂをスリット１７に案内し得るものであれば、形状、寸法、個数等を問わない。
【図面の簡単な説明】
【００２７】
【図１】本発明による液状石鹸類の供給容器の使用状態を示す断面図である。
【図２】容器本体と内蓋と詰め替え用袋とを示す断面図である。
【図３】容器本体と内蓋と詰め替え用袋とを示す別の断面図である。
【図４】本発明による液状石鹸類の供給容器を示す断面図である。
【図５】スリットの一例を示す平面図である。
【図６】スリットの別の一例を示す平面図である。
【図７】本発明による液状石鹸類の供給容器を示す斜視図である。
【符号の説明】
【００２８】
１  容器本体
１ａ  上端
１ａ’  一縁
３  ポンプ手段
５  外蓋
７  シリンダ
９  押下ヘッド
１１  ノズル
１３  内蓋
１３ａ  一端
１５  ヒンジ
１７  スリット
１９  詰め替え用袋
１９ａ  一端
１９ｂ  他端
２１  ガイド
【図１】
2009262967.tif 000003
【図２】
2009262967.tif 000004
【図３】
2009262967.tif 000005
【図４】
2009262967.tif 000006
【図５】
2009262967.tif 000007
【図６】
2009262967.tif 000008
【図７】
2009262967.tif 000009